(57)【要約】【課題】電話接続端子に電話回線が誤接続されたことを検出可能な通信装置を提供すること。【解決手段】ＭＦＣ１は、回線接続端子１２と主制御部２９との接続経路上に備えられ、デジタル信号とアナログ信号とを相互に変換するモデム部３９を備える。また、電話回線を閉結するか否かを制御するためのリレー１６を備える。また、電話接続端子１１の接続先を、鳴動回路１８と、モデム部３９および回線接続端子１２との間で選択的に切り替えるリレー１５を備える。また、電話接続端子１１とリレー１５との間の通電経路に流れる電流の有無を検出する電流検出回路１９を備える。ＣＰＵ３０は、リレー１６で電話回線閉結状態とし、電流検出回路１９で電流の有無を検出する。ＣＰＵ３０は、電流が流れている旨が検出された場合には誤接続されていると判断し、電流が流れていない旨が検出された場合には正常接続されていると判断する。【選択図】図２
2011071883.tif 000002
【特許請求の範囲】
【請求項１】
電話回線の接続用の回線接続端子と、
電話機の接続用の電話接続端子と、
前記回線接続端子と通信装置の主制御部との接続経路上に備えられ、デジタル信号とアナログ信号とを相互に変換するモデム部と、
電話回線を閉結するか否かを制御するための電話回線閉結手段と、
前記電話接続端子の接続先を、前記電話機を制御する電話機制御部と、前記モデム部および前記回線接続端子との間で選択的に切り替える切替手段と、
前記電話接続端子と前記切替手段との間の通電経路上に備えられ、当該通電経路に流れる電流の有無を検出する電流検出手段と、
前記切替手段で前記電話接続端子の接続先を前記モデム部および前記回線接続端子に維持した状態で、前記電話回線閉結手段で電話回線閉結状態とし、前記電流検出手段で電流の有無を検出する制御手段と
を備え、
前記制御手段は、
前記電流検出手段で電流が流れている旨が検出された場合には前記電話回線および前記電話機が誤接続されていると判断し、
前記電流検出手段で電流が流れていない旨が検出された場合には前記電話回線および前記電話機が正常接続されていると判断する
ことを特徴とする通信装置。
【請求項２】
前記制御手段は、
前記電話回線および前記電話機が誤接続されていると判断された場合には、前記電話回線閉結手段で電話回線を開放状態とした上で、前記電流検出手段で電流の有無を再検出し、
前記電流検出手段で電流が流れている旨が再検出された場合には前記電話機が使用中であると判断し、
前記電流検出手段で電流が流れていない旨が再検出された場合には前記電話接続端子に前記電話回線が誤接続されていると判断する
ことを特徴とする請求項１に記載の通信装置。
【請求項３】
前記制御手段は、
前記電話回線および前記電話機が誤接続されていると判断された場合には、
前記電話回線閉結手段で電話回線閉結状態とした上で前記電流検出手段で電流の有無を監視し、
前記電流検出手段で電流が流れている状態から電流が流れていない状態へ移行することを検出することに応じて、前記電話回線閉結手段で電話回線を開放状態にする
ことを特徴とする請求項１または請求項２に記載の通信装置。
【請求項４】
前記モデム部はトランスを介して前記回線接続端子と接続され、
前記回線接続端子は回線接続端子第１接点と回線接続端子第２接点との２つの接点を備え、
前記電話接続端子は電話接続端子第１接点と電話接続端子第２接点との２つの接点を備え、
前記回線接続端子第１接点と前記トランスの一端とを接続する第１通電経路と、前記回線接続端子第２接点と前記トランスの他端とを接続する第２通電経路とを備え、
前記切替手段は、前記電話接続端子第１接点を前記第１通電経路に第１ノードで接続し、前記電話接続端子第２接点を前記第２通電経路に第２ノードで接続し、
前記第１ノードおよび第２ノードの接続位置は、前記第１ノードと前記トランスとの接続経路上または前記第２ノードと前記トランスとの接続経路上に前記電話回線閉結手段が存在する接続位置とされる
ことを特徴とする請求項１ないし請求項３の何れかに記載の通信装置。
【請求項５】
前記電話回線閉結手段は電話回線用のインターフェースモジュールであり、
前記回線接続端子は回線接続端子第１接点と回線接続端子第２接点との２つの接点を備え、
前記電話接続端子は電話接続端子第１接点と電話接続端子第２接点との２つの接点を備え、
前記回線接続端子第１接点と前記インターフェースモジュールとを接続する第１通電経路と、
前記回線接続端子第２接点と前記インターフェースモジュールとを接続する第２通電経路とを備え、
前記切替手段は、前記電話接続端子第１接点を前記第１通電経路に第１ノードで接続し、前記電話接続端子第２接点を前記第２通電経路に第２ノードで接続する
ことを特徴とする請求項１ないし請求項３の何れかに記載の通信装置。
【請求項６】
電話回線の接続用の回線接続端子と、
電話機の接続用の電話接続端子と、
前記回線接続端子と通信装置の主制御部との接続経路上に備えられ、デジタル信号とアナログ信号とを相互に変換するモデム部と、
電話回線を閉結するか否かを制御するための電話回線閉結手段と、
前記電話接続端子を、前記モデム部および前記回線接続端子に接続するか否かを制御する接続手段と、
前記回線接続端子と前記モデム部との間の通電経路上に備えられ、当該通電経路に印可される回線電圧を検出する電圧検出手段と、
前記接続手段で前記電話接続端子を接続状態とした上で、前記電圧検出手段で前記回線電圧を測定して得られる第１回線電圧を取得する第１回線電圧取得手段と、
前記接続手段で前記電話接続端子を非接続状態とした上で、前記電圧検出手段で前記回線電圧を測定して得られる第２回線電圧を取得する第２回線電圧取得手段と、
前記第１回線電圧と前記第２回線電圧とを比較し、前記第２回線電圧が前記第１回線電圧よりも低い旨が検出された場合には前記電話回線および前記電話機が誤接続されていると判断し、前記第２回線電圧が前記第１回線電圧以上である旨が検出された場合には前記電話回線および前記電話機が正常接続されていると判断する判断手段と
を備えることを特徴とする通信装置。
【請求項７】
前記判断手段は、
前記電話回線および前記電話機が誤接続されていると判断された場合には、前記電圧検出手段で前記回線電圧を監視し、
監視している前記回線電圧が前記第２回線電圧よりも大きい状態へ移行することを検出することに応じて、前記電話回線および前記電話機が正常接続されたと判断する
ことを特徴とする請求項６に記載の通信装置。
【発明の詳細な説明】
【技術分野】
【０００１】
本発明は、電話回線を介して通信を行う通信装置であって、電話回線が接続される回線接続端子と、電話機が接続される電話接続端子とを備えた通信装置に関する。
【背景技術】
【０００２】
電話回線を介して通信を行うファクシミリ装置等の各種通信装置では、当該通信装置に更に音声通話用の電話機が接続される場合がある。この場合、通信装置には、電話回線が接続される回線接続端子と、電話機が接続される電話接続端子とが備えられる。
【先行技術文献】
【特許文献】
【０００３】
【特許文献１】特開平８−１２５７７４号公報
【発明の概要】
【発明が解決しようとする課題】
【０００４】
回線接続端子と電話接続端子とは、同一形状のものが使用される場合が多いため、電話機及び電話回線を、回線接続端子及び電話接続端子に誤って逆に接続してしまう可能性がある。すると、通信機器が正常に動作しなくなるため、問題である。本明細書では、このような不便性を解消することができる技術を提供する。
【課題を解決するための手段】
【０００５】
本目的を達成するために、本発明の通信装置は、電話回線の接続用の回線接続端子と、電話機の接続用の電話接続端子と、回線接続端子と通信装置の主制御部との接続経路上に備えられ、デジタル信号とアナログ信号とを相互に変換するモデム部と、電話回線を閉結するか否かを制御するための電話回線閉結手段と、電話接続端子の接続先を、電話機を制御する電話機制御部と、モデム部および回線接続端子との間で選択的に切り替える切替手段と、電話接続端子と切替手段との間の通電経路上に備えられ、当該通電経路に流れる電流の有無を検出する電流検出手段と、切替手段で電話接続端子の接続先をモデム部および回線接続端子に維持した状態で、電話回線閉結手段で電話回線閉結状態とし、電流検出手段で電流の有無を検出する制御手段とを備え、制御手段は、電流検出手段で電流が流れている旨が検出された場合には電話回線および電話機が誤接続されていると判断し、電流検出手段で電流が流れていない旨が検出された場合には電話回線および電話機が正常接続されていると判断する、ことを特徴とする。
【発明の効果】
【０００６】
請求項１記載の通信装置によれば、切替手段で電話接続端子の接続先をモデム部および回線接続端子に維持した状態で、電話回線閉結手段で電話回線閉結状態とし、電流検出手段で電流の有無を検出することにより、電話回線および電話機の誤接続を検出することができる。ここで、電話回線閉結状態とは、交換機と通信装置との間に電流が流れ、通信が可能とされている状態である。すなわち、電話接続端子を電話機制御部に接続することなく、誤接続を検出することができる。これにより、電話回線のラインコードが回線接続端子ではなく電話接続端子に誤って接続された場合に、高電圧が印加された電話回線と低電圧用の電話機制御部とが短絡してしまい、電話機制御部に過大な電流が流れて電話機制御部が破壊される事態を防止することができる。そして、誤接続を検出することで、ラインコードの接続間違いをユーザに伝えることができるため、ユーザの利便性を高める事が可能となる。
【０００７】
請求項２記載の通信装置の効果を説明する。切替手段で電話接続端子の接続先をモデム部および回線接続端子に維持した状態とし、電話回線閉結手段で電話回線を開放状態にした場合において、電流検出手段で電流が流れている状態では、以下の２つの状態の何れかが考えられる。１つ目の状態は、電話接続端子に電話回線が誤接続されており、電話接続端子と電話回線閉結手段との間で電流が流れている状態である。２つ目の状態は、電話機が使用されており、電話接続端子と回線接続端子との間で電流が流れている状態である。そこで、請求項２記載の印刷装置によれば、電話回線閉結手段で電話回線を開放状態とした上で、電流検出手段で電流の有無を再検出することにより、上記２つの状態の何れの状態であるか判別することができる。よって、より確実に誤接続を検出することが可能となる。
【０００８】
請求項３記載の通信装置によれば、電話回線および電話機が誤接続されていると判断された場合に、電流検出手段で電流が流れている状態から電流が流れていない状態へ移行することを検出する。これにより、誤接続された電話回線が電話接続端子から抜かれたことを検出することができるため、ユーザにより接続のやり直しが行われたか否かを検出することが可能となる。また、誤接続された電話回線が電話接続端子から抜かれたことを検出することに応じて、電話回線を開放状態にすることで、通信装置を待機状態に戻すことができるため、ユーザの利便性を高める事が可能となる。ここで、電話回線の開放状態とは、交換機と通信装置との間に電流が流れず、通信が不可とされている状態である。
【０００９】
請求項４記載の通信装置によれば、電話接続端子に電話回線が誤接続されている場合には、電話接続端子、電流検出手段、切替手段、電話回線閉結手段、トランス、を備える直流閉ループが形成され、電流が流れる。この場合、直流閉ループに電流検出手段が含まれるため、電流検出手段で電流が検出される。一方、回線接続端子に電話回線が正常接続されている場合には、回線接続端子、電話回線閉結手段、トランスを備える直流閉ループが形成され、電流が流れる。この場合、直流閉ループに電流検出手段が含まれないため、電流検出手段で電流は検出されない。これにより、電話接続端子を電話機制御部に接続することなく、誤接続を検出することができる。よって、電話回線と電話機制御部とが短絡することを防止できるため、電話機制御部が破壊される事態を防止することができる。
【００１０】
請求項５記載の通信装置によれば、電話接続端子に電話回線が誤接続されている場合には、電話接続端子、電流検出手段、切替手段、インターフェースモジュールを備える直流閉ループが形成され、電流が流れる。この場合、直流閉ループに電流検出手段が含まれるため、電流検出手段で電流が検出される。一方、回線接続端子に電話回線が正常接続されている場合には、回線接続端子、インターフェースモジュールを備える直流閉ループが形成され、電流が流れる。この場合、直流閉ループに電流検出手段が含まれないため、電流検出手段で電流は検出されない。これにより、電話接続端子１１を電話機制御部に接続することなく、誤接続を検出することができる。よって、電話回線と電話機制御部とが短絡することを防止できるため、電話機制御部が破壊される事態を防止することができる。
【００１１】
請求項６記載の通信装置によれば、第１回線電圧取得手段によって、電話接続端子が接続状態とされている場合の回線電圧である第１回線電圧が取得される。電話接続端子が接続状態とされている場合には、回線接続端子または電話接続端子の何れか一方に電話回線が接続されている場合に、回線電圧は上昇する。また、第２回線電圧取得手段によって、電話接続端子が非接続状態とされている場合の回線電圧である第２回線電圧が取得される。電話接続端子が非接続状態とされている場合には、回線接続端子に電話回線が接続されている場合のみに、回線電圧は保持され、回線接続端子（１２）に電話回線が接続されていない場合には、回線電圧は減少する。よって、第２回線電圧が第１回線電圧以上である旨が検出された場合には、電話回線および電話機が正常接続されていると判断することができる。また、第２回線電圧が第１回線電圧よりも低い旨が検出された場合には、電話回線および電話機が誤接続されていると判断することができる。これにより、誤接続を検出することで、ラインコードの接続間違いをユーザに伝えることができるため、ユーザの利便性を高める事が可能となる。また、誤接続検出を行う際に、電流検出回路を不要とすることができるため、コスト削減を図ることが可能となる。
【００１２】
請求項７記載の通信装置によれば、電話回線および電話機が誤接続されていると判断された場合に、電圧検出手段によって回線電圧を監視する。そして、監視している回線電圧が第２回線電圧よりも大きい状態へ移行することを検出することにより、ユーザにより接続のやり直しが行われたことを検出することが可能となる。よって、ユーザの利便性を高める事が可能となる。
【図面の簡単な説明】
【００１３】
【図１】ＭＦＣ１の構成を表すブロック図である。
【図２】回線種別判別動作の具体例を示すフロー図（その１）である。
【図３】発呼時動作の具体例を示すフロー図である。
【図４】着信時動作の具体例を示すフロー図である。
【図５】回線種別判別動作の具体例を示すシーケンス図である。
【図６】発呼時動作の具体例を示すシーケンス図である。
【図７】着信時動作の具体例を示すシーケンス図である。
【図８】ＭＦＣ１ａの構成を表すブロック図である。
【図９】ＭＦＣ１ｂの構成を表すブロック図である。
【図１０】回線種別判別動作の具体例を示すフロー図（その２）である。
【発明を実施するための形態】
【００１４】
第１実施形態に係るＭＦＣ（多機能機）１の構成を表すブロック図を、図１（Ａ）、図１（Ｂ）に示す。図１（Ａ）は、正常接続状態（回線接続端子１２に電話回線７０が接続され、電話接続端子１１に外付電話５０が接続された状態）を示す図である。また、図１（Ｂ）は、誤接続状態（回線接続端子１２に外付電話５０が接続され、電話接続端子１１に電話回線７０が接続された状態）を示す図である。以下、図１（Ａ）を用いて、ＭＦＣ１の構成を説明する。
【００１５】
ＭＦＣ１は、電話機の一例としての外付電話５０を接続可能な電話接続端子１１と、電話回線７０を接続可能な回線接続端子１２とを備えている。電話接続端子１１、回線接続端子１２は、いずれもＭＦＣ１の外部に露出した同一形状のモジュラージャックとして構成されており、２つの接点１１Ａおよび１１Ｂと、接点１２Ａおよび１２Ｂをそれぞれ備えている。また、接点１２Ａとトランス１７の一端とを接続する通電経路１３Ａと、接点１２Ｂとトランス１７の他端とを接続する通電経路１３Ｂとが備えられる。
【００１６】
リレー１５は、電話接続端子１１側に設けられる。リレー１５は、リレー切替信号ＲＳＳに基づいて、接点Ｘと接点Ｙとを選択可能に切り替えるリレーである。リレー１５の接点Ｘは、接点１１Ａを通電経路１３Ａに第１ノードＮ１で接続し、接点１１Ｂを通電経路１３Ｂに第２ノードＮ２で接続する。よって接点Ｘが選択されると、電話接続端子１１の接続先が、モデム部３９および回線接続端子１２とされる。また、リレー１５の接点Ｙは、鳴動回路１８に接続される。よって接点Ｙが選択されると、電話接続端子１１の接続先が鳴動回路１８とされる。
【００１７】
鳴動回路１８は、電話回線７０を介して入力される呼出信号の代わりとなる擬似呼出信号を、ＣＰＵ３０からの指令に基づいて出力する周知の回路である。すなわち、リレー１５の接続先を接点Ｙとしておけば、鳴動回路１８から外付電話５０に擬似呼出信号を出力することができ、着信の有無に関わらず外付電話５０を鳴動させることができる。
【００１８】
また、電話接続端子１１とリレー１５と間の通電経路上には、電流検出回路１９が備えられる。電流検出回路１９は、通電経路に流れる電流の有無を検出し、検出結果を電流検出信号ＩＤＳとしてＣＰＵ３０へ出力する。
【００１９】
リレー１６は、回線接続端子１２側の、第１ノードＮ１とトランス１７との接続経路上に設けられる。リレー１６は、通電経路１３Ａをオン・オフし、回線接続端子１２をトランス１７に接続するか否かを制御することで、電話回線を閉結するか否かを制御することができる。トランス１７は、電話回線７０から入力された通信データを、絶縁状態を保持しつつモデム部３９に伝達する回路である。また、モデム部３９は、デジタル信号とアナログ信号とを相互に変換する周知の回路である。
【００２０】
主制御部２９には、ＣＰＵ３０、ＲＯＭ３１、ＲＡＭ３２が備えられる。ＣＰＵ３０は、ＲＯＭ３１に記憶されたプログラムに基づき、ＭＦＣ１を制御する回路である。ＣＰＵ３０には、モデム部３９、鳴動回路１８、表示部４１、内蔵電話４３、操作部４４などが接続される。表示部４１は、ＭＦＣ１の筐体表面（不図示）に設けられた、液晶パネルなどの装置である。内蔵電話４３は、ＭＦＣ１に予め備えられる、音声通話用の受話器である。操作部４４は、ＭＦＣ１の筐体表面に設けられた、テンキーなどの入力装置である。また、ＣＰＵ３０からはリレー切替信号ＲＳＳおよびリレー制御信号ＳＣＳが出力され、ＣＰＵ３０には電流検出信号ＩＤＳが入力される。
【００２１】
第１実施形態に係るＭＦＣ１の動作を説明する。ＭＦＣ１では、回線種別判別動作、発呼時動作、着信時動作の３つの動作が行われる。回線種別判別動作は、ＭＦＣ１の初期設定時に行われる動作である。回線種別判別動作では、電話回線７０の回線種別（ダイヤル回線、プッシュ回線など）が自動で判別される。また、発呼時動作は、ＭＦＣ１を用いて音声通話を開始する場合やＦＡＸ送信を開始する場合などに行われる動作である。また着信時動作は、外部から電話回線７０を介して、音声通話やＦＡＸ通信が着信した場合などに行われる動作である。なお、ＭＦＣ１の初期状態において、リレー１５の接続先が接点Ｘとされ、リレー１６が非接続状態とされる場合を説明する。
【００２２】
回線種別判別動作について、図２のフロー図および図５のシーケンス図を用いて説明する。回線種別判別動作が開始されると、Ｓ１１において、ＣＰＵ３０は、「ラインコードを接続して下さい」の旨の情報を、表示部４１に表示する。
【００２３】
Ｓ１５において、ＣＰＵ３０は、電流検出回路１９で電流が検出されたか否かを判断する。電流が検出された場合（Ｓ１５：ＹＥＳ）には、外付電話５０が使用中であると判断される。よってＳ１７へ進み、ＣＰＵ３０は、「外付電話使用中」を表示部４１に表示し、Ｓ１５へ戻る。
【００２４】
一方、電流が検出されない場合（Ｓ１５：ＮＯ）には、外付電話５０が使用中ではないと判断される。よってＳ１９へ進み、ＣＰＵ３０は、リレー１６を接続状態とすることで、電話回線閉結状態とする。ここで、電話回線閉結状態とは、電話回線７０とモデム部３９との間に直流閉ループが形成され、通信が可能とされている状態である。
【００２５】
Ｓ２１において、ＣＰＵ３０は、リレー１５の接続先を接点Ｘに維持し、リレー１６を接続状態とした状態で、電流検出回路１９を用いて電流の有無を検出する。
【００２６】
Ｓ２１で行われる、電話回線閉結状態での電流検出の目的について説明する。
電話回線閉結状態で電流が検出される場合には、第１状態と第２状態の２つの状態がある。第１状態は、電話接続端子１１に電話回線７０が誤接続されている場合（図１（Ｂ））である。この場合、電話接続端子１１、電流検出回路１９、リレー１５、リレー１６、トランス１７、を備える直流閉ループが形成され、電流が流れる（図１（Ｂ）、矢印Ｙ１）。また第２状態は、正常接続されている場合（図１（Ａ））に、外付電話５０が使用されている場合である。この場合、電話接続端子１１、電流検出回路１９、リレー１５、回線接続端子１２、を備える直流閉ループが形成され、電流が流れる（図１（Ａ）、矢印Ｙ２）。そして、第１状態および第２状態とも、直流閉ループに電流検出回路１９が含まれるため、電流検出回路１９で電流が検出される。
【００２７】
また、電流検出回路１９で電流が検出されない場合は、回線接続端子１２に電話回線７０が正常接続されている場合（図１（Ａ））に、外付電話５０が使用されていない場合である。この場合、回線接続端子１２、リレー１６、トランス１７を備える直流閉ループが形成され、電流が流れる（図１（Ａ）、矢印Ｙ３）が、直流閉ループに電流検出回路１９が含まれないため、電流検出回路１９で電流は検出されない。
【００２８】
よって、Ｓ２１において電流が検出されない場合（Ｓ２１：ＮＯ）には、正常接続状態であり外付電話５０が不使用の場合であると判断され、Ｓ２３へ進む。
【００２９】
Ｓ２３において、ＣＰＵ３０は、リレー１５の接続先を接点Ｘから接点Ｙへ切り替えることで、外付電話５０の電話回線７０およびモデム部３９への接続を切断する。
【００３０】
Ｓ２５において、ＣＰＵ３０は、回線種別判定を実行する。回線種別判定では、ダイヤルトーンの検出の有無により、通信が正常に行われているかが確認される。また、プッシュ信号を送出した場合のダイヤルトーンの検出の有無により、電話回線７０がプッシュ回線であるかダイヤル回線であるかが判断される。そして、回線種別判定結果はＲＡＭ３２に記憶される。
【００３１】
Ｓ３５において、ＣＰＵ３０は、リレー１６を非接続状態とすることで、電話回線開放状態とする。ここで、電話回線開放状態とは、電話回線７０とモデム部３９との間に直流閉ループが形成されず、通信が不可とされている状態である。Ｓ３７において、ＣＰＵ３０は、リレー１５の接続先を接点Ｙから接点Ｘに切り替える。これにより、ＭＦＣ１が初期状態に戻され、回線種別判別動作が終了する。
【００３２】
一方、Ｓ２１において、電流検出回路１９で電流が検出された場合（Ｓ２１：ＹＥＳ）には、上述した第１状態または第２状態の何れかの状態であると判断され、Ｓ４１へ進む。Ｓ４１において、ＣＰＵ３０は、リレー１６を非接続状態とすることで、電話回線開放状態とする。
【００３３】
Ｓ４３において、ＣＰＵ３０は、電流検出回路１９で電流の有無を再度検出する。Ｓ４３で行われる、電話回線開放状態での電流検出の目的について説明する。電話回線開放状態で電流が検出されない場合は、第１状態（誤接続状態）であると判断される。これは、図１（Ｂ）、矢印Ｙ１に示す直流閉ループの経路上にリレー１６が存在するため、リレー１６が非接続状態とされ電話回線開放状態とされることで電流が流れなくなるためである。一方、電話回線開放状態で電流が検出される場合は、第２状態（外付電話５０の使用中状態）であると判断される。これは、図１（Ａ）、矢印Ｙ２に示す直流閉ループの経路上にリレー１６が存在しないため、リレー１６が非接続状態とされても電流が流れるためである。
【００３４】
これにより、リレー１６で電話回線を開放状態とした上で、電流検出回路１９で電流の有無を再検出することにより、第１状態と第２状態の何れの状態であるか判別することができる。よって、より確実に誤接続を検出することが可能となる。
【００３５】
Ｓ４３において電流が検出された場合（Ｓ４３：ＹＥＳ）には、第２状態であると判断され、Ｓ４５へ進む。Ｓ４５において、ＣＰＵ３０は、「外付電話使用中」の情報を表示部４１に表示し、Ｓ４７へ進む。Ｓ４７において、ＣＰＵ３０は、電流検出回路１９で電流の有無を検出する。電流が検出される場合（Ｓ４７：ＹＥＳ）には、外付電話５０が依然使用中であると判断され、Ｓ４７へ戻る。一方、電流が検出されない場合（Ｓ４７：ＮＯ）には、外付電話５０の使用が終了したと判断され、Ｓ１９へ戻る。
【００３６】
また、Ｓ４３において電流が検出されない場合（Ｓ４３：ＮＯ）には、第１状態であると判断され、Ｓ４９へ進む。Ｓ４９において、ＣＰＵ３０は、「ラインコード接続が間違っています。接続し直して下さい」の旨の情報を表示部４１へ表示し、Ｓ５１へ進む。
【００３７】
Ｓ５１ないしＳ５５によって、接続のやり直しがユーザによって開始されたか否かの検出が行われる。Ｓ５１において、ＣＰＵ３０は、リレー１６を接続状態とし、電話回線閉結状態とする。そしてＳ５３において、ＣＰＵ３０は、電流検出回路１９を用いて、電流の有無を検出する。電流が検出される場合（Ｓ５３：ＹＥＳ）には、誤接続された電話回線７０が電話接続端子１１からまだ抜かれていないと判断され、Ｓ５３へ戻り待機状態とされる。一方、電流が検出されない場合（Ｓ５３：ＮＯ）には、電話回線７０が電話接続端子１１から抜かれたと判断される。これにより、ユーザにより接続のやり直しが開始されたことを検出することができるため、Ｓ５５へ進む。
【００３８】
Ｓ５５において、ＣＰＵ３０は、リレー１６を非接続状態とすることで、電話回線開放状態とする。これにより、ＭＦＣ１を初期状態に戻すことができる。そしてＳ１１へ戻り、ラインコードの接続からやり直される。以上より、回線種別判別動作が終了する。
【００３９】
回線種別判別動作の具体例を、図５のシーケンス図を用いて説明する。例として、誤接続が行われている場合（図１（Ｂ））を説明する。また、ＭＦＣ１の初期状態において、リレー１５の接続先が接点Ｘとされている場合を説明する。ユーザにより、外付電話５０が回線接続端子１２に接続され（Ｓ５０１）、電話回線７０が電話接続端子１１に接続される（Ｓ５０３）。電話回線７０から給電が行われる（Ｓ５０５）ため、回線電圧が検出される（Ｓ１３：ＹＥＳ）。ＣＰＵ３０は、外付電話５０が使用中でないことを確認し（Ｓ１５：ＮＯ）、電話回線閉結状態とする（Ｓ１９）。そして、電話回線閉結状態において電流検出が行われ、電流が検出される（Ｓ２１：ＹＥＳ）。よって、前述した第１状態（誤接続状態）または第２状態（外付電話５０の使用中状態）の何れかの状態であると判断される。そして、電話回線開放状態とした上で（Ｓ４１）、電流検出回路１９において電流検出が行われ、電流が非検出とされる（Ｓ４３：ＮＯ）。よって、第１状態であると判断され、ラインコード接続のエラー表示が行われる（Ｓ４９）。接続のやり直しの開始を検出するために、電話回線閉結状態とされる（Ｓ５１）。ユーザによってラインコードが抜かれ、電話回線７０の接続が解除されると（Ｓ５０７）、電流が非検出とされる（Ｓ５３：ＮＯ）。よって、電話回線開放状態とすることでＭＦＣ１を初期状態に戻した上で（Ｓ５５）、ラインコードの接続からやり直される。
【００４０】
次に、発呼時動作について、図３のフロー図および図６のシーケンス図を用いて説明する。音声通話やＦＡＸ送信などを開始するための操作がＭＦＣ１で行われることに応じて、図３のフローが開始される。
【００４１】
Ｓ７１において、ＣＰＵ３０は、電流検出回路１９で電流が検出されたか否かを判断する。電流が検出された場合（Ｓ７１：ＹＥＳ）にはＳ７３へ進み、「外付電話使用中」が表示部４１に表示され、Ｓ７１へ戻る。一方、電流が検出されない場合（Ｓ７１：ＮＯ）には、外付電話５０が使用中ではないと判断され、Ｓ７５へ進む。
【００４２】
Ｓ７５において、ＣＰＵ３０は、フックアップの有無を検出する。フックアップは、ＭＦＣ１において、内蔵電話４３の受話器を上げることや、ＦＡＸ送信の操作を行うことで検出される。フックアップが検出されない場合（Ｓ７５：ＮＯ）にはＳ７１へ戻り、フックアップが検出される場合（Ｓ７５：ＹＥＳ）にはＳ７７へ進む。Ｓ７７において、ＣＰＵ３０はリレー１６を接続状態とすることで、電話回線閉結状態とする。
【００４３】
Ｓ７９において、ＣＰＵ３０は、電流検出回路１９を用いて電流の有無を検出する。Ｓ７９において電流が検出されない場合（Ｓ７９：ＮＯ）には、正常接続状態であり外付電話５０が不使用の場合であると判断され、Ｓ８１へ進む。
【００４４】
Ｓ８１において、ＣＰＵ３０は、リレー１５の接続先を接点Ｘから接点Ｙへ切り替えることで、外付電話５０の電話回線７０およびモデム部３９への接続を切断する。よって、ＦＡＸ中に外付電話５０を使用することで、ＦＡＸデータが正常に送受信されなくなることが防止される。Ｓ８３において、ＣＰＵ３０は、「通話中」の旨の情報を、表示部４１に表示する。
【００４５】
Ｓ８５ないしＳ８９によって、通話が終了したか否かの検出が行われる。Ｓ８５において、ＣＰＵ３０は、操作部４４でのダイヤル押下が行われたか否かを判断する。ダイヤル押下が検出された場合（Ｓ８５：ＹＥＳ）にはＳ８７へ進み、ＣＰＵ３０は、ダイヤル送出を行った上で、Ｓ８９へ進む。一方、ダイヤル押下が検出されない場合（Ｓ８５：ＮＯ）には、Ｓ８９へ進む。Ｓ８９において、ＣＰＵ３０は、フックダウンの有無を検出する。フックダウンは、ＭＦＣ１において、内蔵電話４３の受話器を置くことや、ＦＡＸ送信が終了することで検出される。フックダウンが検出されない場合（Ｓ８９：ＮＯ）にはＳ８５へ戻り、フックダウンが検出される場合（Ｓ８９：ＹＥＳ）にはＳ９１へ進む。
【００４６】
Ｓ９１において、ＣＰＵ３０は、リレー１６を非接続状態とすることで、電話回線開放状態とする。Ｓ９３において、ＣＰＵ３０は、リレー１５の接続先を接点Ｙから接点Ｘに切り替える。これにより、ＭＦＣ１が初期状態に戻され、発呼時動作が終了する。
【００４７】
一方、Ｓ７９において、電流検出回路１９で電流が検出された場合（Ｓ７９：ＹＥＳ）には、上述した第１状態または第２状態の何れかの状態であると判断され、Ｓ１０１へ進む。Ｓ１０１において、ＣＰＵ３０は、リレー１６を非接続状態とすることで、電話回線開放状態とする。Ｓ１０３において、ＣＰＵ３０は、電流検出回路１９で電流の有無を再度検出する。
【００４８】
Ｓ１０３において電流が検出された場合（Ｓ１０３：ＹＥＳ）には、第２状態であると判断され、Ｓ１０５へ進む。Ｓ１０５において、ＣＰＵ３０は、「外付電話使用中」の情報を表示部４１に表示し、Ｓ１０７へ進む。Ｓ１０７において、ＣＰＵ３０は、電流検出回路１９で電流の有無を検出する。電流が検出される場合（Ｓ１０７：ＹＥＳ）には、外付電話５０が使用中であると判断され、Ｓ１０７へ戻る。一方、電流が検出されない場合（Ｓ１０７：ＮＯ）には、外付電話５０の使用が終了したと判断され、Ｓ７７へ戻る。
【００４９】
また、Ｓ１０３において電流が検出されない場合（Ｓ１０３：ＮＯ）には、第１状態であると判断され、Ｓ１０９へ進む。Ｓ１０９において、ＣＰＵ３０は、「ラインコード接続が間違っています。接続し直して下さい」の旨の情報を表示部４１へ表示し、フローを終了する。
【００５０】
発呼時動作の具体例を、図６のシーケンス図を用いて説明する。例として、誤接続が行われている場合（図１（Ｂ））を説明する。また、ＭＦＣ１の初期状態において、リレー１５の接続先が接点Ｘとされている場合を説明する。ユーザにより、内蔵電話４３がフックアップされると、発呼動作が開始される（Ｓ６０１）。ＣＰＵ３０は、外付電話５０が使用中でないことを確認し（Ｓ７１：ＮＯ）、フックアップされていることを検出する（Ｓ７５：ＹＥＳ）ため、電話回線閉結状態とする（Ｓ７７）。そして、電話回線閉結状態での電流検出が行われ、電流が検出される（Ｓ７９：ＹＥＳ）。よって、前述した第１状態（誤接続状態）または第２状態（外付電話５０の使用中状態）の何れかの状態であると判断される。そして、電話回線開放状態とした上で（Ｓ１０１）、電流検出回路１９において電流検出が行われ、電流が非検出とされる（Ｓ１０３：ＮＯ）。よって、第１状態であると判断され、ラインコード接続のエラー表示が行われる（Ｓ１０９）。そして、発呼時動作が終了される。
【００５１】
次に、着信時動作について、図４のフロー図および図７のシーケンス図を用いて説明する。Ｓ２０１において、ＣＰＵ３０は、交換機から音声通話やＦＡＸデータなどの着信があるか否かを判断する。着信がないと判断された場合（Ｓ２０１：ＮＯ）にはＳ２０１へ戻って待機し、着信があると判断された場合（Ｓ２０１：ＹＥＳ）にはＳ２０３へ進む。Ｓ２０３において、ＣＰＵ３０は、内蔵電話４３の鳴動を開始する。
【００５２】
Ｓ２０５において、ＣＰＵ３０は、鳴動回数が鳴動設定値に到達したか否かを判断する。鳴動設定値は予めユーザ等によって定められる値であり、例えば、５回などの値に設定される。鳴動回数が鳴動設定値に到達していないと判断される場合（Ｓ２０５：ＮＯ）にはＳ２０５へ戻って待機し、鳴動回数が鳴動設定値に到達したと判断される場合（Ｓ２０５：ＹＥＳ）にはＳ２０７へ進む。
【００５３】
Ｓ２０７において、ＣＰＵ３０は、リレー１６を接続状態とすることで、電話回線閉結状態とする。Ｓ２０９において、ＣＰＵ３０は、電流検出回路１９を用いて電流の有無を検出する。Ｓ２０９において電流が検出されない場合（Ｓ２０９：ＮＯ）には、正常接続状態であり外付電話５０が不使用の場合であると判断され、Ｓ２１１へ進む。Ｓ２１１において、ＣＰＵ３０は、リレー１５の接続先を接点Ｘから接点Ｙへ切り替えることで、外付電話５０の電話回線７０およびモデム部３９への接続を切断する。Ｓ２１３において、ＣＰＵ３０は、鳴動回路１８から擬似鳴動信号を送出する。
【００５４】
Ｓ２１５において、ＣＰＵ３０は、通話処理を実行する。通話処理には、外付電話５０での通話処理と、内蔵電話４３での通話処理が存在する。通話処理が終了すると、Ｓ２２９に進み、スタンバイ状態へ移行する。そして、着信動作が終了される。
【００５５】
外付電話５０での通話処理を説明する。電流検出回路１９で電流が検出されると、外付電話５０で通話が開始されたと判断される。よってＣＰＵ３０は、鳴動回路１８による外付電話５０の鳴動を停止すると共に、内蔵電話４３の鳴動も停止する。また、リレー１５の接続先を接点Ｘに切り替え、通話可能状態とする。そして、電流検出回路１９で電流が検出されなくなると、外付電話５０で通話が終了されたと判断され、電話回線開放状態とされ、通話処理が終了する。
【００５６】
また、内蔵電話４３での通話処理を説明する。内蔵電話４３がフックアップされたことが検出されると、ＣＰＵ３０は、外付電話５０の鳴動および内蔵電話４３の鳴動を停止し、通話可能状態とする。そして、内蔵電話４３がフックダウンされたことが検出されると、内蔵電話４３で通話が終了されたと判断され、リレー１５の接続先を接点Ｘに切り替え、電話回線開放状態とされ、通話処理が終了する。
【００５７】
一方、Ｓ２０９において電流が検出された場合（Ｓ２０９：ＹＥＳ）には、上述した第１状態または第２状態の何れかの状態であると判断され、Ｓ２５１へ進む。Ｓ２５１において、ＣＰＵ３０は、リレー１６を非接続状態とすることで、電話回線開放状態とする。Ｓ２５３において、ＣＰＵ３０は、電流検出回路１９で電流の有無を再度検出する。
【００５８】
Ｓ２５３において電流が検出された場合（Ｓ２５３：ＹＥＳ）には、第２状態であると判断され、Ｓ２５５へ進む。Ｓ２５５において、ＣＰＵ３０は、「外付電話使用中」の情報を表示部４１に表示し、Ｓ２５７へ進む。Ｓ２５７において、ＣＰＵ３０は、電流検出回路１９で電流の有無を検出する。電流が検出される場合（Ｓ２５７：ＹＥＳ）には、外付電話５０が使用中であると判断され、Ｓ２５７へ戻る。一方、電流が検出されない場合（Ｓ２５７：ＮＯ）には、外付電話５０の使用が終了したと判断され、Ｓ２５９へ進む。
【００５９】
Ｓ２５９において、ＣＰＵ３０は、リレー１６を接続状態とし、電話回線閉結状態とする。そしてＳ２６１において、ＣＰＵ３０は、電流検出回路１９を用いて、電流の有無を検出する。Ｓ２６１において電流が検出された場合（Ｓ２６１：ＹＥＳ）には、誤接続状態であると判断され、Ｓ２６３へ進む。Ｓ２６３において、ＣＰＵ３０は、「ラインコード接続が間違っています」の旨の情報を表示部４１へ表示し、Ｓ２６５へ進む。一方、Ｓ２６１において電流が検出されない場合（Ｓ２６１：ＮＯ）には、正常接続状態であると判断され、Ｓ２６５へ進む。
【００６０】
Ｓ２６５において、ＣＰＵ３０は、リレー１６を非接続状態とすることで、電話回線開放状態とする。これにより、ＭＦＣ１を初期状態に戻すことができる。そしてＳ２２９へ進み、スタンバイ状態とされる。
【００６１】
また、Ｓ２５３において電流が検出されない場合（Ｓ２５３：ＮＯ）には、誤接続状態であると判断され、Ｓ２６７へ進む。Ｓ２６７において、ＣＰＵ３０は、「ラインコード接続が間違っています」の旨の情報を表示部４１へ表示し、Ｓ２２９へ進み、スタンバイ状態とされる。以上より、回線種別判別動作が終了する。
【００６２】
着信時動作の具体例を、図７のシーケンス図を用いて説明する。例として、誤接続が行われている場合（図１（Ｂ））を説明する。また、ＭＦＣ１の初期状態において、リレー１５の接続先が接点Ｘとされている場合を説明する。交換機から着信すると（Ｓ７０１）、着信があると判断され（Ｓ２０１：ＹＥＳ）、鳴動開始する（Ｓ２０３）。鳴動回数が鳴動設定値に到達し、自動着信が行われると（Ｓ２０５：ＹＥＳ）、電話回線閉結状態とされる（Ｓ２０７）。そして、電流検出回路１９において、電話回線閉結状態での電流検出が行われ、電流が検出される（Ｓ２０９：ＹＥＳ）。よって、前述した第１状態（誤接続状態）または第２状態（外付電話５０の使用中状態）の何れかの状態であると判断される。そして、電話回線開放状態とした上で（Ｓ２５１）、電流検出回路１９において電流検出が行われ、電流が非検出とされる（Ｓ２５３：ＮＯ）。よって、第１状態であると判断され、ラインコード接続のエラー表示が行われる（Ｓ２６７）。そして、着信時動作が終了される。
【００６３】
以上説明したように、第１実施形態の説明例に係るＭＦＣ１によれば、リレー１５で電話接続端子１１の接続先をモデム部３９および回線接続端子１２に維持した状態で、リレー１６で電話回線閉結状態とし、電流検出回路１９で電流の有無を検出することにより、電話回線７０および外付電話５０の誤接続を検出することができる。すなわち、電話接続端子１１を鳴動回路１８に接続することなく、誤接続を検出することができる。
【００６４】
これにより、電話回線７０のラインコードが回線接続端子１２ではなく電話接続端子１１に誤って接続された場合に、高電圧が印加された電話回線７０と低電圧用の鳴動回路１８とが短絡してしまい、鳴動回路１８に過大な電流が流れて鳴動回路１８が破壊される事態を防止することができる。そして、誤接続を検出することで、ラインコードの接続間違いを表示部４１等を用いてユーザに伝えることができるため、ユーザの利便性を高める事が可能となる。
【００６５】
第２実施形態に係るＭＦＣ１ａの構成を表すブロック図を図８に示す。第２実施形態のＭＦＣ１ａは、第１実施形態のＭＦＣ１（図１）のリレー１６およびトランス１７に代えて、ＳＤＡＡ(Silicon Data Access Arrangement)２４を備える。ＳＤＡＡ２４は、電話回線用のインターフェースモジュールであり、モデム部３９から入力されるＳＤＡＡ制御信号ＳＤＳに応じて電話回線の閉結及び開放動作を行う回路である。また、ＳＤＡＡ２４には回線電圧検出回路が内蔵されており、測定された回線電圧が回線電圧検出信号ＶＤＳとしてモデム部３９へ出力される。また、接点１２ＡとＳＤＡＡ２４とを接続する通電経路１４Ａと、接点１２ＢとＳＤＡＡ２４とを接続する通電経路１４Ｂとが備えられる。リレー１５の接点Ｘは、接点１１Ａを通電経路１４Ａに第１ノードＮ１ｂで接続し、接点１１Ｂを通電経路１４Ｂに第２ノードＮ２ｂで接続する。なお、ＭＦＣ１ａのその他の回路構成は、第１実施形態のＭＦＣ１と同様であるため、ここでは詳細な説明は省略する。
【００６６】
電話接続端子１１に電話回線７０が誤接続されている場合には、電話接続端子１１、電流検出回路１９、リレー１５、ＳＤＡＡ２４を備える直流閉ループが形成され、電流が流れる。この場合、直流閉ループに電流検出回路１９が含まれるため、電流検出回路１９で電流が検出される。一方、回線接続端子１２に電話回線７０が正常接続されている場合には、回線接続端子１２、ＳＤＡＡ２４を備える直流閉ループが形成され、電流が流れる。この場合、直流閉ループに電流検出回路１９が含まれないため、電流検出回路１９で電流は検出されない。
【００６７】
以上説明したように、第２実施形態の説明例に係るＭＦＣ１ａによれば、第１実施形態のＭＦＣ１と同様にして、電話接続端子１１を鳴動回路１８に接続することなく、誤接続を検出することができる。よって、電話回線７０と鳴動回路１８とが短絡することを防止できるため、鳴動回路１８が破壊される事態を防止することができる。
【００６８】
第３実施形態に係るＭＦＣ１ｂの構成を表すブロック図を、図９に示す。ＭＦＣ１ｂは、ＳＤＡＡ２４を備える。なお、ＳＤＡＡ２４の構成は第２実施形態と同様であるため、ここでは詳細な説明は省略する。またＭＦＣ１ｂは、ＭＦＣ１のリレー１５に代えて、リレー１５ａを備える。リレー１５ａは、電話接続端子１１の接点１１Ａと第１ノードＮ１ｃとの接続経路上に備えられる。リレー１５ａは、リレー切替信号ＲＳＳｂに基づいて、電話接続端子１１をモデム部３９および回線接続端子１２に接続するか否かを制御する回路である。またＭＦＣ１ｂは、電流検出回路を備えない構成とされる。なお、ＭＦＣ１ｂのその他の回路構成は、第１実施形態のＭＦＣ１と同様であるため、ここでは詳細な説明は省略する。
【００６９】
第３実施形態に係るＭＦＣ１ｂで行われる回線種別判別動作を、図１０のフローを用いて説明する。なお、ＭＦＣ１ｂの初期状態において、リレー１５ａが接続状態にされる場合を説明する。回線種別判別動作が開始されると、Ｓ３１１において、ＣＰＵ３０は、「ラインコードを接続して下さい」の旨の情報を、表示部４１に表示する。
Ｓ３１３において、ＣＰＵ３０は、ＳＤＡＡ２４で回線電圧が検出されたか否かを判断する。回線電圧が検出されない場合（Ｓ３１３：ＮＯ）には、ラインコードが接続されていないと判断され、Ｓ３１３に戻る。一方、回線電圧が検出された場合（Ｓ３１３：ＹＥＳ）には、ラインコードが接続されたと判断され、Ｓ３１５へ進む。ＣＰＵ３０は、測定した回線電圧を、初期回線電圧ＬＶ１としてＲＡＭ３２に記憶する。初期回線電圧ＬＶ１は、リレー１５ａが接続状態とされている場合の回線電圧である。
【００７０】
Ｓ３１５において、ＣＰＵ３０は、リレー１５ａを非接続状態とすることで、外付電話５０の電話回線７０およびモデム部３９への接続を切断する。Ｓ３１６において、ＣＰＵ３０は、１秒間待機する。これは、リレー１５ａを非接続状態とすることで回線電圧が除々に低下する場合があるため、待機することで十分に回線電圧を低下させるためである。なお、待機時間は任意の値に設定できることは言うまでもない。
【００７１】
Ｓ３１７において、ＣＰＵ３０は、ＳＤＡＡ２４を用いて回線電圧を再度測定し、測定した回線電圧を回線電圧ＬＶ２としてＲＡＭ３２に記憶する。回線電圧ＬＶ２は、リレー１５ａが非接続状態とされている場合の回線電圧である。そしてＳ３１８において、ＣＰＵ３０は、回線電圧ＬＶ２が初期回線電圧ＬＶ１以上であるか否かを判断する。
【００７２】
Ｓ３１８で行われる、回線電圧の比較動作の目的について説明する。初期回線電圧ＬＶ１は、回線接続端子１２または電話接続端子１１の何れか一方に電話回線７０が接続されている場合に、上昇する。一方、回線電圧ＬＶ２は、電話接続端子１１がＳＤＡＡ２４に非接続状態とされている場合の電圧値である。よって、回線接続端子１２に電話回線７０が接続されている場合のみに、回線電圧ＬＶ２の値は初期回線電圧ＬＶ１の値と同等となる。そして、電話接続端子１１に電話回線７０が接続されている場合には、回線電圧ＬＶ２の値は初期回線電圧ＬＶ１よりも低くなる。
【００７３】
よって、回線電圧ＬＶ２が初期回線電圧ＬＶ１以上である旨が検出された場合（Ｓ３１８：ＹＥＳ）には、電話回線７０が回線接続端子１２に正常接続されていると判断され、Ｓ３２１へ進む。一方、回線電圧ＬＶ２が初期回線電圧ＬＶ１よりも低い旨が検出された場合（Ｓ３１８：ＮＯ）には、電話回線７０が電話接続端子１１に誤接続されていると判断され、Ｓ３１９へ進む。Ｓ３１９において、ＣＰＵ３０は、「ラインコード接続が間違っています。接続し直して下さい」の旨の情報を表示部４１へ表示し、Ｓ３２０へ進む。
【００７４】
Ｓ３２０において、ＣＰＵ３０は、回線電圧ＬＶ３を監視する。回線電圧ＬＶ３は、誤接続が検出された後にＳＤＡＡ２４測定される回線電圧である。そしてＣＰＵ３０は、回線電圧ＬＶ３が回線電圧ＬＶ２よりも高い値となったか否かを監視する。回線電圧ＬＶ３が回線電圧ＬＶ２と同等または回線電圧ＬＶ２よりも低下した場合（Ｓ３２０：ＮＯ）には、Ｓ３２０へ戻り、監視が続行される。一方、回線電圧ＬＶ３が回線電圧ＬＶ２よりも高くなった場合（Ｓ３２０：ＹＥＳ）には、電話回線７０が回線接続端子１２に正常接続されたと判断され、Ｓ３２１へ進む。これにより、回線電圧ＬＶ３が回線電圧ＬＶ２よりも大きい状態へ移行することを検出することにより、ユーザにより接続のやり直しが行われたことを検出することが可能となる。よって、ユーザの利便性を高める事が可能となる。
【００７５】
Ｓ３２１において、ＣＰＵ３０は、ＳＤＡＡ２４を用いて電話回線閉結状態とする。Ｓ３２３において、ＣＰＵ３０は、回線種別判定を実行する。回線種別判定の内容は、第１実施形態と同様であるため、ここでは詳細な説明は省略する。そして、回線種別判定結果をＲＡＭ３２に記憶する。Ｓ３２５において、ＣＰＵ３０は、ＳＤＡＡ２４を用いて電話回線開放状態とする。Ｓ３２７において、ＣＰＵ３０は、リレー１５ａを非接続状態とすることで、外付電話５０の電話回線７０およびモデム部３９への接続を切断する。これにより、初期状態に戻され、回線種別判別動作が終了する。
【００７６】
以上説明したように、第３実施形態の説明例に係るＭＦＣ１ｂによれば、誤接続を検出することで、ラインコードの接続間違いをユーザに伝えることができるため、ユーザの利便性を高める事が可能となる。また誤接続検出を行う際に、ＳＤＡＡ２４に内蔵されている回線電圧検出機能を用いることで電流検出回路を不要とすることができるため、コスト削減を図ることが可能となる。
【００７７】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００７８】
なお、ＳＤＡＡ２４およびリレー１６は電話回線閉結手段の一例である。鳴動回路１８は電話機制御部の一例である。リレー１５は切替手段の一例である。リレー１５ａは接続手段の一例である。電流検出回路１９は電流検出手段の一例である。接点１２Ａは回線接続端子第１接点の一例である。接点１２Ｂは回線接続端子第２接点の一例である。接点１１Ａは電話接続端子第１接点の一例である。接点１１Ｂは電話接続端子第２接点の一例である。通電経路１３Ａ、１４Ａは第１通電経路の一例である。通電経路１３Ｂ、１４Ｂは第２通電経路の一例である。ＳＤＡＡ２４はインターフェースモジュールおよび電圧検出手段の一例である。初期回線電圧ＬＶ１は第１回線電圧の一例である。回線電圧ＬＶ２は第２回線電圧の一例である。
【００７９】
また、Ｓ２１、Ｓ４１、Ｓ４３、Ｓ５１、Ｓ５３、Ｓ５５、Ｓ７９、Ｓ１０１、Ｓ１０３、Ｓ２０９、Ｓ３２０を実行する制御部は制御手段の一例である。Ｓ３１３を実行する制御部は第１回線電圧取得手段の一例である。Ｓ３１８を実行する制御部は第２回線電圧取得手段および判断手段の一例である。
【符号の説明】
【００８０】
１、１ａ、１ｂ ＭＦＣ
１１  電話接続端子
１２  回線接続端子
１５、１５ａ  リレー
１６  リレー
１８  鳴動回路
１９  電流検出回路
３０  ＣＰＵ
３９  モデム部
５０  外付電話
７０  電話回線
【図１】
2011071883.tif 000003
【図２】
2011071883.tif 000004
【図３】
2011071883.tif 000005
【図４】
2011071883.tif 000006
【図５】
2011071883.tif 000007
【図６】
2011071883.tif 000008
【図７】
2011071883.tif 000009
【図８】
2011071883.tif 000010
【図９】
2011071883.tif 000011
【図１０】
2011071883.tif 000012